【手続補正書】
【提出日】平成20年3月10日(2008.3.10)
【手続補正１】
【補正対象書類名】特許請求の範囲
【補正対象項目名】全文
【補正方法】変更
【補正の内容】
【特許請求の範囲】
【請求項１】
記録モード中に再生動作、または再生モード中に記録動作を実行可能な記録再生装置であって、
画像データを記録媒体に記録する記録手段と、
前記記録媒体に記録された前記画像データを再生する再生手段と、
前記記録モードまたは前記再生モードを選択するモード選択手段と、
前記記録モードと前記再生モードとで、それぞれ異なる機能に対する操作が可能な兼用操作手段と、
前記兼用操作手段の操作に応じて前記記録手段及び前記再生手段を制御する制御手段
とを備え、
前記記録モードと前記再生モードのうち、前記モード選択手段により一方の動作モードが選択されている状態で、所定の操作によって他方の動作モードの機能が実行された場合、前記制御手段は、前記兼用操作手段の操作が前記他方の動作モードの機能に対する操作となるように制御に係る設定を切り替え、前記他方の動作モードの機能の実行が終了したこと応じて、前記兼用操作手段の操作が前記モード選択手段により選択された動作モードの機能に対する操作となるように前記設定を元に戻す
ことを特徴とする記録再生装置。
【請求項２】
前記記録手段は、前記画像データを生成する撮像手段を有し、
前記制御手段は、前記モード選択手段により前記記録モードが選択されている状態で、前記再生モードの機能が実行された場合、前記兼用操作手段によって前記撮像手段の撮影用機能を操作することに代えて、前記再生モードの機能を操作するように切り替える
ことを特徴とする請求項１に記載の画像記録装置。
【請求項３】
前記記録手段は、前記画像データを生成する撮像手段を有し、
前記制御手段は、前記モード選択手段により前記再生モードが選択されている状態で、前記記録モードの機能が実行された場合、前記兼用操作手段によって前記再生モードの機能を操作することに代えて、前記撮像手段の撮影用機能を操作するように切り替える
ことを特徴とする請求項１に記載の画像記録装置。
【請求項４】
前記記録媒体が、ランダムアクセス可能な記録媒体であることを特徴とする請求項１乃至３の何れか１項に記載の記録再生装置。
【請求項５】
画像データを記録媒体に記録する記録手段と、
前記記録媒体に記録された前記画像データを再生する再生手段と、
記録モードまたは再生モードを選択するモード選択手段と、
前記記録モードと前記再生モードとで、それぞれ異なる機能に対する操作が可能な兼用操作手段
とを具備し、前記記録モード中に再生動作、または前記再生モード中に記録動作を実行可能な記録再生装置の制御方法であって、
前記記録モードと前記再生モードの一方の動作モードでの動作中において、他方の動作モードの機能の実行を監視するステップと、
前記一方の動作モードでの動作中において、前記他方の動作モードの機能が実行されたことに応じて、前記兼用操作手段の操作が前記他方の動作モードの機能に対する操作となるように設定を変更する設定変更ステップと、
前記他方の動作モードの機能の実行が終了したことに応じて、前記兼用操作手段の操作が前記モード選択手段により選択された動作モードの機能に対する操作となるように前記設定を変更する復帰ステップ
とを有することを特徴とする記録再生装置の制御方法。
【請求項６】
前記記録手段は、前記画像データを生成する撮像手段を有し、
前記モード選択手段により前記記録モードが選択されている状態で、前記再生モードの機能が実行された場合、前記設定変更ステップにおいて、前記兼用操作手段によって前記撮像手段の撮影用機能を操作することに代えて、前記再生モードの機能を操作するように前記設定を変更する
ことを特徴とする請求項５に記載の画像記録装置の制御方法。
【請求項７】
前記記録手段は、前記画像データを生成する撮像手段を有し、
前記モード選択手段により前記再生モードが選択されている状態で、前記記録モードの機能が実行された場合、前記設定変更ステップにおいて、前記兼用操作手段によって前記再生モードの機能を操作することに代えて、前記撮影手段の撮影用機能を操作するように前記設定を変更する
ことを特徴とする請求項５に記載の画像記録装置の制御方法。
【請求項８】
撮影モード中に再生動作、または再生モード中に撮影及び記録動作を実行可能な撮像装置であって、
撮像手段と、
前記撮像手段によって生成される画像データを記録媒体に記録する記録手段と、
前記記録媒体に記録された前記画像データを再生する再生手段と、
前記撮影モードまたは前記再生モードを選択するモード選択手段と、
前記撮影モードと前記再生モードとで、それぞれ異なる機能に対する操作が可能な兼用操作手段と、
前記兼用操作手段の操作に応じて前記撮像手段、前記記録手段及び前記再生手段を制御する制御手段
とを備え、
前記撮影モードと前記再生モードのうち、前記モード選択手段により一方の動作モードが選択されている状態で、所定の操作によって他方の動作モードの機能が実行された場合、前記制御手段は、前記兼用操作手段の操作が前記他方の動作モードの機能に対する操作となるように制御に係る設定を切り替え、前記他方の動作モードの機能の実行が終了したこと応じて、前記兼用操作手段の操作が前記モード選択手段により選択された動作モードの機能に対する操作となるように前記設定を元に戻す
ことを特徴とする撮像装置。
【手続補正２】
【補正対象書類名】明細書
【補正対象項目名】０００８
【補正方法】変更
【補正の内容】
【０００８】
上記の目的を達成するために、本発明に係る記録再生装置は、記録モード中に再生動作、または再生モード中に記録動作を実行可能な記録再生装置であって、画像データを記録媒体に記録する記録手段と、前記記録媒体に記録された前記画像データを再生する再生手段と、前記記録モードまたは前記再生モードを選択するモード選択手段と、前記記録モードと前記再生モードとで、それぞれ異なる機能に対する操作が可能な兼用操作手段と、前記兼用操作手段の操作に応じて前記記録手段及び前記再生手段を制御する制御手段とを備え、前記記録モードと前記再生モードのうち、前記モード選択手段により一方の動作モードが選択されている状態で、所定の操作によって他方の動作モードの機能が実行された場合、前記制御手段は、前記兼用操作手段の操作が前記他方の動作モードの機能に対する操作となるように制御に係る設定を切り替え、前記他方の動作モードの機能の実行が終了したこと応じて、前記兼用操作手段の操作が前記モード選択手段により選択された動作モードの機能に対する操作となるように前記設定を元に戻すことを特徴とする。
【手続補正３】
【補正対象書類名】明細書
【補正対象項目名】０００９
【補正方法】変更
【補正の内容】
【０００９】
本発明に係る記録再生装置の制御方法は、画像データを記録媒体に記録する記録手段と、前記記録媒体に記録された前記画像データを再生する再生手段と、記録モードまたは再生モードを選択するモード選択手段と、前記記録モードと前記再生モードとで、それぞれ異なる機能に対する操作が可能な兼用操作手段とを具備し、前記記録モード中に再生動作、または前記再生モード中に記録動作を実行可能な記録再生装置の制御方法であって、前記記録モードと前記再生モードの一方の動作モードでの動作中において、他方の動作モードの機能の実行を監視するステップと、前記一方の動作モードでの動作中において、前記他方の動作モードの機能が実行されたことに応じて、前記兼用操作手段の操作が前記他方の動作モードの機能に対する操作となるように設定を変更する設定変更ステップと、前記他方の動作モードの機能の実行が終了したことに応じて、前記兼用操作手段の操作が前記モード選択手段により選択された動作モードの機能に対する操作となるように前記設定を変更する復帰ステップとを有することを特徴とする。
【手続補正４】
【補正対象書類名】明細書
【補正対象項目名】００１０
【補正方法】変更
【補正の内容】
【００１０】
本発明に係る撮像装置は、撮影モード中に再生動作、または再生モード中に撮影及び記録動作を実行可能な撮像装置であって、撮像手段と、前記撮像手段によって生成される画像データを記録媒体に記録する記録手段と、前記記録媒体に記録された前記画像データを再生する再生手段と、前記撮影モードまたは前記再生モードを選択するモード選択手段と、前記撮影モードと前記再生モードとで、それぞれ異なる機能に対する操作が可能な兼用操作手段と、前記兼用操作手段の操作に応じて前記撮像手段、前記記録手段及び前記再生手段を制御する制御手段とを備え、前記撮影モードと前記再生モードのうち、前記モード選択手段により一方の動作モードが選択されている状態で、所定の操作によって他方の動作モードの機能が実行された場合、前記制御手段は、前記兼用操作手段の操作が前記他方の動作モードの機能に対する操作となるように制御に係る設定を切り替え、前記他方の動作モードの機能の実行が終了したこと応じて、前記兼用操作手段の操作が前記モード選択手段により選択された動作モードの機能に対する操作となるように前記設定を元に戻すことを特徴とする。
【手続補正５】
【補正対象書類名】明細書
【補正対象項目名】００１４
【補正方法】変更
【補正の内容】
【００１４】
図１を参照して、本実施例の構成を説明する。ビデオカメラ本体１０は、フォーカス及びズーム等の光学制御系を含む光学レンズ群及び絞りからなるレンズ１２、ＣＣＤ（Ｃｈａｒｇｅ  Ｃｏｕｐｌｅｄ  Ｄｅｖｉｃｅ）撮像素子を含む撮像部１４、カメラ信号処理部１６、圧縮伸長処理部１８、記録再生処理部２０、表示部２２、メモリカード２４、ショックプルーフメモリ２６、ディスク制御部２８、ディスクメディア３０、マイクロフォン３２、音声信号処理部３４、メモリ３６、メモリ制御部３８、ＣＰＵ４０、操作部４２、デジタルＩ／Ｆ（インターフェース）４４、入出力部４６、データバス４８、並びに、電源制御部５２を具備する。これらの各機能ブロック１２〜４６，５２は、それぞれデータバス４８を介して接続されている。
【手続補正６】
【補正対象書類名】明細書
【補正対象項目名】００３２
【補正方法】変更
【補正の内容】
【００３２】
撮影モードでは、被写体の光学像は、レンズ１２により撮像部１４に入射し、レンズ１２は、フォーカスとズームを制御され、撮像部１４に入射する光量を制御する。撮像部１４は、入力光学像を電気信号に変換し、カメラ信号処理部１６に出力する。カメラ信号処理部１６は、撮像部１４からの電気信号をデジタル画像信号に変換し、その際、色分離、階調補正及びホワイトバランス調整などの周知のカメラ信号処理を施す。音声信号処理部３４は、マイクロフォン３２により入力される音声信号を所定レベルにゲインコントロールし、デジタル信号に変換して出力する。
【手続補正７】
【補正対象書類名】明細書
【補正対象項目名】００３３
【補正方法】変更
【補正の内容】
【００３３】
圧縮伸長処理部１８は、カメラ信号処理部１６から出力される画像データ及び音声信号処理部３４から出力される音声データを所定の圧縮符号化方式により圧縮符号化する。表示部２２は、液晶パネル２２ａとＥＶＦ２２ｂにより構成され、圧縮伸長処理部１８で圧縮符号化の対象となった撮影画像を表示する。また、表示部２２は、必要に応じてビデオカメラ本体１０の動作状況をオンスクリーン・ディスプレイ情報として表示する。
【手続補正８】
【補正対象書類名】明細書
【補正対象項目名】００３４
【補正方法】変更
【補正の内容】
【００３４】
記録再生処理部２０は、圧縮伸長処理部１８から出力される圧縮符号化データにエラー訂正符号化処理及び変調処理等を施し、更に同期コード及びＩＤなどを付加して記録に適した形態に変換した後、ディスクメディア３０又はメモリーカード２４等の記録媒体に記録する。この際、ディスク制御部２８は、ディスクメディア３０の回転とヘッドのシークなどを制御する。また、外力による筐体の揺れ、振動又は衝撃等によりディスクサーボが外れてしまう対策として、ショックプルーフメモリ２６をディスクメディア３０とデータバス４８の間に配置してある。
【手続補正９】
【補正対象書類名】明細書
【補正対象項目名】００３５
【補正方法】変更
【補正の内容】
【００３５】
再生モードにおいて、ユーザが、操作部４２により再生動作を指示した場合、記録再生処理部２０は、ディスクメディア３０またはメモリーカード２４から読み出したデータを復調及びエラー訂正する。また、記録再生処理部２０は、ＰＬＬ回路により再生データに同期したクロックを生成する。
【手続補正１０】
【補正対象書類名】明細書
【補正対象項目名】００３６
【補正方法】変更
【補正の内容】
【００３６】
圧縮伸長処理部１８は、記録再生処理部２０で再生された圧縮符号化データを伸長し、圧縮符号化前の画像データ及び音声データを出力する。表示部２２は、圧縮伸長処理部１８で復元された画像データの画像を表示する。
【手続補正１１】
【補正対象書類名】明細書
【補正対象項目名】００３７
【補正方法】変更
【補正の内容】
【００３７】
記録モードで、ユーザが、操作部４２によりデジタルＩ／Ｆ４４からの入力データの記録を指示した場合、ＣＰＵ４０は、デジタルＩ／Ｆ４４により、外部装置５０aからの圧縮画像データ又は圧縮音声データを取り込み、記録再生処理部２０に供給する。記録再生処理部２０は、前述のように、圧縮画像データ又は圧縮音声データに誤り訂正符号化及び変調を施し、ディスクメディア３０又はメモリーカード２４などの記録媒体に記録する。